(57)【要約】【課題】  レンズを光軸方向に適切に案内をする機能を備えつつ、組立作業が容易な構成を備えたレンズ駆動装置を提供すること。【解決手段】  レンズ駆動装置１は、移動レンズ１３、１４を保持するレンズ移動体２と、レンズ移動体２を光軸Ｌ方向に移動させる駆動手段４と、レンズ移動体２を光軸Ｌ方向に移動可能に支持する固定体３とを備え、駆動手段４が、レンズ移動体２に配設された駆動コイル５と、固定体３に配設された駆動マグネット６と板状のヨーク８とから構成されている。ヨーク８は、レンズ移動体２を光軸Ｌ方向へ案内する内ヨーク（ガイド突起部）８ａを備え、レンズ移動体２は、内ヨーク８ａが挿通される摺動孔２ｂを備えている。【選択図】      図１
2005352032.tif 000002
【特許請求の範囲】
【請求項１】
レンズを保持するレンズ移動体と、該レンズ移動体を前記レンズの光軸方向に移動させる駆動手段と、前記レンズ移動体を光軸方向に移動可能に支持する固定体とを備えたレンズ駆動装置において、
前記駆動手段は、前記レンズ移動体及び前記固定体のいずれか一方に配設された駆動コイルと、他方に配設された駆動マグネットと、前記駆動コイル及び前記駆動マグネットとともに磁気回路を形成するため前記固定体に配設された板状のヨークとを備え、
前記ヨークは、前記レンズ移動体を光軸方向へ案内するため光軸方向に延在するガイド突起部を備え、前記レンズ移動体は、前記ガイド突起部が挿通されて該ガイド突起部と摺接する摺動孔を備えることを特徴とするレンズ駆動装置。
【請求項２】
前記ガイド突起部と前記摺動孔とは、前記レンズの光軸を中心に複数箇所に設けられていることを特徴とする請求項１記載のレンズ駆動装置。
【請求項３】
前記ヨークは、前記ガイド突起部となる内ヨークと、光軸に直交する方向で前記内ヨークの外側に形成された外ヨークと、前記内ヨークと前記外ヨークとを連結する連結部とを備え、該連結部が前記固定体に形成されたヨーク固定部に固定されていることを特徴とする請求項１または２記載のレンズ駆動装置。
【請求項４】
前記ヨーク固定部には、前記ヨークを固定するための嵌合凸部が形成され、前記ヨークには、前記嵌合凸部と嵌合する嵌合孔が形成されていることを特徴とする請求項３記載のレンズ駆動装置。
【請求項５】
前記レンズ移動体は筒状に形成され、該レンズ移動体は、内周側に前記レンズを保持し、外周側に前記駆動コイルが巻回されていることを特徴とする請求項１または２記載のレンズ駆動装置。
【請求項６】
前記ガイド突起部及び前記摺動孔の少なくともいずれか一方の表面には、潤滑性被膜が形成されていることを特徴とする請求項１または２記載のレンズ駆動装置。
【請求項７】
前記駆動コイルが配設された前記レンズ移動体または前記固定体は磁性片を備え、該磁性片と前記駆動マグネットとの磁気的吸引力によって、前記レンズ移動体の可動範囲端位置で該レンズ移動体を保持することを特徴とする請求項１または２記載のレンズ駆動装置。
【請求項８】
前記磁性片を備えた前記レンズ移動体または前記固定体には、前記磁性片を保持するため光軸に直交する方向に延在する磁性片保持部が形成され、前記磁性片の保持位置は、光軸に直交する方向で調整可能に構成されていることを特徴とする請求項７記載のレンズ駆動装置。
【発明の詳細な説明】
【技術分野】
【０００１】
本発明は、カメラ付き携帯電話機のカメラなどの比較的小型のカメラ等に用いられるレンズ駆動装置に関する。
【背景技術】
【０００２】
カメラの撮影用レンズ等のレンズを光軸方向に駆動するレンズ駆動装置として、レンズを保持するレンズ移動体と、このレンズ移動体をレンズの光軸方向に移動させる駆動手段と、レンズ移動体を光軸方向に移動可能に支持する固定体とを備え、レンズを直接、磁気駆動するレンズ駆動装置が用いられている。
【０００３】
この種のレンズ駆動装置として、レンズ移動体に配設された駆動コイルと、固定体に配設された駆動マグネット及びヨークとからなるいわゆるボイスコイルモータを、レンズ移動体の駆動手段として用いたレンズ駆動装置が知られている（例えば、特許文献１、２参照）。
【０００４】
特許文献１及び２に記載されたレンズ駆動装置では、角筒状に形成されたレンズ移動体の内周側にレンズが保持され、その外周側には、駆動コイルが巻回されている。また、固定体には、内ヨーク及び外ヨークからなるヨークが固定され、外ヨークの内側には駆動マグネットが固定されている。そして、レンズ移動体に巻回された駆動コイルが内ヨークと駆動マグネットとの間に配設されるように、レンズ移動体が固定体によって光軸方向に移動可能に支持されており、レンズ移動体の駆動手段としてボイスコイルモータが構成されている。
【０００５】
また、特許文献１及び２に記載されたレンズ駆動装置では、レンズが保持されたレンズ移動体を光軸方向へ案内するため、固定体には、光軸方向へ延在する２本のガイドシャフトが立設され、レンズ移動体には、ガイドシャフトが挿通されてこのガイドシャフトと摺接する摺動孔が形成されている。
【特許文献１】特開平８−９４９０４号公報
【特許文献２】特開平５−２６４８７８号公報
【発明の開示】
【発明が解決しようとする課題】
【０００６】
しかしながら、上記特許文献に開示されたレンズ駆動装置では、ガイドシャフトを固定体に立接する構成を採用していることから、レンズ移動体を光軸方向に適切に案内するためには、ガイドシャフトを固定体に対して精度良く立設する必要があり、組立作業が困難となるという問題がある。特に、２本のガイドシャフトを用いているため、ガイドシャフト同士の平行度も確保しなければ、レンズ移動体を光軸方向に適切に案内することができず、組立作業は一層困難となるという問題がある。
【０００７】
また、駆動手段としてボイスコイルモータを用いると、撮影が行われるレンズの保持位置で、レンズを停止させ、一定姿勢に保持しようとした場合に、常に駆動コイルを通電状態にしなければならない。そのため、消費電力が大きくなるという問題がある。特に、カメラ付き携帯電話などにレンズ駆動装置を搭載しようとした場合には、消費電力の問題は顕著になる。
【０００８】
そこで、本発明の課題は、レンズを光軸方向に適切に案内をする機能を備えつつ、組立作業が容易な構成を備えたレンズ駆動装置を提供することにある。また、本発明の課題は、簡易な構成で、レンズを位置保持する際の消費電力を低く抑えることができる構成を備えたレンズ駆動装置を提供することにある。
【課題を解決するための手段】
【０００９】
上記の課題を解決するために、本発明では、レンズを保持するレンズ移動体と、該レンズ移動体を前記レンズの光軸方向に移動させる駆動手段と、前記レンズ移動体を光軸方向に移動可能に支持する固定体とを備えたレンズ駆動装置において、前記駆動手段は、前記レンズ移動体及び前記固定体のいずれか一方に配設された駆動コイルと、他方に配設された駆動マグネットと、前記駆動コイル及び前記駆動マグネットとともに磁気回路を形成するため前記固定体に配設された板状のヨークとを備え、前記ヨークは、前記レンズ移動体を光軸方向へ案内するため光軸方向に延在するガイド突起部を備え、前記レンズ移動体は、前記ガイド突起部が挿通されて該ガイド突起部と摺接する摺動孔を備えることを特徴とする。
【００１０】
本発明では、固定体に配設された板状のヨークが、レンズ移動体を光軸方向へ案内するため光軸方向に延在するガイド突起部を備えている。ヨークが板状であるから、ヨークを固定体へ固定するための基準を固定基準面として面で形成することができる。そのため、固定体に形成されたヨーク固定部に固定基準面を基準として、ヨークを固定することで、固定体に対するヨークの基準出しを容易に行うことができる。また、固定基準面に対してガイド突起部を精度良く形成することで、固定体に対してガイド突起部を精度良く立設させることができる。そのため、レンズ移動体が備える摺動孔にガイド突起部を挿通し、摺動孔とガイド突起部とを摺接させることで、レンズを光軸方向に適切に案内することができる。さらに、例えば、ガイド突起部が複数設けられたとしてもガイド突起部同士の平行度の確保が容易になる。
【００１１】
また、ヨークの一部をガイド突起部としていることから、レンズ移動体を光軸方向に案内するためのガイドシャフトを別途設ける必要がない。そのため、レンズ駆動装置の構成が簡素化され、装置の小型化が可能になる。
【００１２】
本発明において、前記ガイド突起部と前記摺動孔とは、前記レンズの光軸を中心に複数箇所に設けられていることが好ましい。この場合には、レンズ移動体を光軸方向に案内する際に、レンズ移動体に傾きが生じにくくなり、レンズ移動体を確実に案内することができるようになる。尚、レンズ移動体を光軸方向に確実に案内するためには、ガイド突起部と摺動孔とが３箇所以上に設けられていることが好ましい。さらに確実にレンズ移動体案内するためには、ガイド突起部と摺動孔とは、光軸を中心に等角度間隔に設けられていることが好ましい。
【００１３】
本発明において、前記ヨークは、前記ガイド突起部となる内ヨークと、光軸に直交する方向で前記内ヨークの外側に形成された外ヨークと、前記内ヨークと前記外ヨークとを連結する連結部とを備え、該連結部が前記固定体に形成されたヨーク固定部に固定されていることが好ましい。この場合には、連結部に固定基準面を形成し、この固定基準面に対してガイド突起部となる内ヨークを容易に、かつ精度良く形成することができる。例えば、プレスによる曲げ加工で、固定基準面に対して内ヨークを容易に、かつ精度良く形成することができる。そのため、連結部をヨーク固定部に固定するだけで、固定体に対してガイド突起部を精度良く立設させることができる。また、ガイド突起部が複数設けられたとしてもガイド突起部同士の平行度の確保が容易になる。
【００１４】
本発明において、前記ヨーク固定部には、前記ヨークを固定するための嵌合凸部が形成され、前記ヨークには、前記嵌合凸部と嵌合する嵌合孔が形成されていることが好ましい。この場合には、固定体に対するヨークの位置決めが容易になり、レンズ駆動装置の組立作業が簡素化される。
【００１５】
本発明において、前記レンズ移動体は筒状に形成され、該レンズ移動体は、内周側に前記レンズを保持し、外周側に前記駆動コイルが巻回されていることが好ましい。この場合には、レンズ移動体をコイルボビンとして兼用することができる。また、レンズ移動体をコイルボビンとして兼用した場合には、駆動コイルの巻回作業が容易になる。すなわち、レンズ移動体の外周側に直接、駆動コイルを巻回できるため、例えば、空芯状の駆動コイルを製作してそれをレンズ移動体に貼り付けるといった作業工程を省略することができ、駆動コイルの巻回作業は容易になる。
【００１６】
本発明において、前記ガイド突起部及び前記摺動孔の少なくともいずれか一方の表面には、潤滑性被膜が形成されていることが好ましい。この場合には、ガイド突起部と摺動孔との間の摺動抵抗が軽減され、レンズ移動体の移動時における消費電力を低減することができる。また、レンズ移動体の光軸方向の移動が円滑に行われる。
【００１７】
本発明において、前記駆動コイルが配設された前記レンズ移動体または前記固定体は磁性片を備え、該磁性片と前記駆動マグネットとの磁気的吸引力によって、前記レンズ移動体の可動範囲端位置で該レンズ移動体を保持することが好ましい。この場合には、レンズ移動体の可動範囲端位置を撮影が行われる位置、すなわちレンズの保持位置とすることで、保持位置においては、駆動コイルを通電状態にしておく必要がなく、レンズの保持状態での消費電力を低減させることができる。
【００１８】
本発明において、前記磁性片を備えた前記レンズ移動体または前記固定体には、前記磁性片を保持するため光軸に直交する方向に延在する磁性片保持部が形成され、前記磁性片の保持位置は、光軸に直交する方向で調整可能に構成されていることが好ましい。この場合には、磁性片の保持位置を調整することで、駆動マグネットと磁性片との間に生じる磁気的吸引力を調整することができる。従って、駆動マグネットと磁性片との間に適切な磁気的吸引力を設定することができる。
【発明の効果】
【００１９】
以上のように本発明では、板状のヨークが、レンズ移動体を光軸方向へ案内するため光軸方向に延在するガイド突起部を備えている。そのため、ヨークを固定体へ固定するための基準を固定基準面として面で形成し、固定体に形成されたヨーク固定部にヨークを固定することで、固定体に対するヨークの基準出しを容易に行うことができる。また、固定基準面に対してガイド突起部を精度良く形成することで、固定体に対してガイド突起部を精度良く立設させることができる。従って、組立作業が容易になる。また、レンズ移動体が備える摺動孔をガイド突起部と摺接させることで、レンズを光軸方向に適切に案内することができる。
【００２０】
また、駆動コイルが配設されたレンズ移動体または固定体が磁性片を備え、磁性片と駆動マグネットとの磁気的吸引力によって、レンズ移動体の可動範囲端位置でレンズ移動体を保持するようにしてやることで、レンズの保持位置において駆動コイルを通電状態にする必要がない。そのため、簡易な構成で、レンズを位置保持する際の消費電力を低く抑えることができる。
【発明を実施するための最良の形態】
【００２１】
以下、本発明を実施するための最良の形態を図面に基づいて説明する。
【００２２】
（レンズ駆動装置の構成）
図１は、本発明の実施の形態にかかるレンズ駆動装置を示す側面断面図である。図２は、図１に示すレンズ駆動装置の固定側部材を示し、（Ａ）はその上面図、（Ｂ）は（Ａ）のＡ−Ａ断面における断面図である。図３は、図１に示すレンズ駆動装置の固定体を示し、（Ａ）はその上面図、（Ｂ）は（Ａ）のＢ−Ｂ断面における断面図である。図４は、図１に示すレンズ駆動装置のヨークを示し、（Ａ）はその上面図、（Ｂ）は（Ａ）のＣ−Ｃ断面における断面図である。図５は、図１に示すレンズ駆動装置の移動側部材を示し、（Ａ）はその上面図、（Ｂ）は（Ａ）のＤ−Ｄ断面における断面図、（Ｃ）はその底面図である。
【００２３】
本形態にかかるレンズ駆動装置１は、携帯電話等の携帯機器に搭載される薄型のカメラに適用されるものであり、移動レンズ１３、１４を保持するレンズ移動体２と、このレンズ移動体２を移動レンズ１３、１４の光軸Ｌ方向に移動させる駆動手段４と、レンズ移動体２を光軸Ｌ方向に移動可能に支持する固定体３とを備えている。本形態では、駆動手段４は、駆動コイル５と、駆動マグネット６と、これらの駆動コイル５及び駆動マグネット６とともに磁気回路を形成するヨーク８とから構成されている。また、固定体３の図示上端側には、固定レンズ１２を保持したカバー１０が固定されている。
【００２４】
図１及び図２に示すように、固定体３には、駆動マグネット６とヨーク８とが配設されている。
【００２５】
本形態における固定体３は、底部と筒部とを有する有底円筒状に形成された樹脂部材であり、レンズ駆動装置１の本体ケースをなしている（図３参照）。固定体３の底部には、被撮影体の像を取り込む開口部３ａが形成されている。この開口部３ａの周辺には、ヨーク８を固定するヨーク固定部３ｂが形成されている。具体的には、ヨーク固定部３ｂは、光軸Ｌを中心とする１２０°ピッチで３箇所に形成されている。それぞれのヨーク固定部３ｂの間には、光軸Ｌ方向におけるレンズ移動体２の図示下方向の可動範囲を規制する規制凹部３ｃが、光軸Ｌを中心とする１２０°ピッチで３箇所に形成されている。図３（Ａ）に示すように、ヨーク固定部３ｂと規制凹部３ｃとの境界線は、光軸Ｌを中心とする６０°ピッチで形成されている。
【００２６】
ヨーク固定部３ｂは、固定面３ｂ１と、この固定面３ｂ１の略中心位置にヨーク８を固定するために形成された嵌合凸部３ｂ２とから構成されている。固定面３ｂ１は、ヨーク８を精度良く固定するため、平面度が精度良く確保された状態になっている。また、規制凹部３ｃは、固定面３ｂ１より窪んだ状態で形成されている。３箇所に形成された規制部３ｃのうち、１箇所には、後述の配線基板１１を固定体３の外部に引き出す引出孔３ｄが、規制凹部３ｃから固定体３の外部へ貫通するように形成されている。
【００２７】
また、それぞれの規制凹部３ｃの外周側には、ヨーク８の円周方向の位置決めに用いられる突起３ｅが光軸Ｌ方向に突出するように形成されている。具体的には固定体３の筒部の内周面に沿って、光軸Ｌ方向の断面が略円弧状になるように形成されている。
【００２８】
ヨーク８は、板状の磁性部材から形成されており、内ヨーク８ａと、径方向で内ヨーク８ａの外側に形成された外ヨーク８ｂと、内ヨーク８ａと外ヨーク８ｂとを連結する連結部８ｃとから構成されている。具体的には、ヨーク８は、連結部８ｃが内ヨーク８ａと外ヨーク８ｂとを図示下端にて連結し、この連結部８ｃから、内ヨーク８ａと外ヨーク８ｂとが垂直に起立した溝形状に形成されている（図４参照）。また、連結部８ｃの図示下面がヨーク８を固定体３に固定するための固定基準面８ｅとなっている。本形態では、ヨーク８は、薄板状の磁性部材をプレスによって曲げ加工することで形成されており、固定基準面８ｅに対する内ヨーク８ａ及び外ヨーク８ｂの垂直度が精度良く確保されている。
【００２９】
内ヨーク８ａは、図４（Ａ）に示すように、上面から見た状態で、光軸Ｌを中心とした略円弧状に形成されている。また、外ヨーク８ｂも同様に、上面から見た状態で、光軸Ｌを中心とした略円弧状に形成されており、外ヨーク８ｂは、固定体３に配置された状態で固定体の筒部に沿って配設されるようになっている。また、連結部８ｃの略中心位置には、固定体３に形成された嵌合凸部３ｂ２と嵌合する嵌合孔８ｄが形成されている。
【００３０】
本形態では、３つのヨーク８が、固定体３に形成されたヨーク固定部３ｂに固定されている。より具体的には、固定基準面８ｅを固定面３ｂ１に当接させた状態でかつ、嵌合孔８ｄを嵌合凸部３ｂ２に嵌め合わせた状態で、ヨーク８がヨーク固定部３ｂに固定されている。このとき、外ヨーク８ｂの円周方向端が突起３ｅに隣接している。ヨーク８が固定体３に固定された状態では、内ヨーク８ａ及び外ヨーク８ｂは光軸Ｌ方向に延在している。そして、本形態では、内ヨーク８ａが、レンズ移動体２を光軸Ｌ方向に案内するためのガイド突起部となっており、内ヨーク８ａは、光軸Ｌを中心とする略１２０°ピッチの等間隔で固定体３に立設されている。内ヨーク８ａの表面では、後述するレンズ移動体２の摺動孔２ｂとの摺動抵抗を軽減するため、その表面粗さの最大高さが略０．１μｍ以下となっている。また、摺動孔２ｂとの摺動抵抗を軽減するため、内ヨーク８ａの表面に潤滑性被膜を形成しても良い。具体的には、ポリテトラフルオロエチレン（ＰＴＦＥ）を分散させた無電解ニッケルメッキ膜を、内ヨーク８ａの表面に形成しても良い。
【００３１】
駆動マグネット６は、図２（Ａ）に示すように、光軸Ｌ方向の断面が略円弧状に形成され、光軸Ｌ方向に延在する薄板状の永久磁石であり、内周側及び外周側がそれぞれ単極に着磁されている。例えば、駆動マグネット６の内周側がＮ極に着磁され、外周側がＳ極に着磁されている。本形態では、３つの駆動マグネット６が固定体３に配設されている。具体的には、駆動マグネット６は、固定体３に固定された３つのヨーク８における外ヨーク８ｂの内周側に接着等の固定手段によって固定されている。
【００３２】
レンズ移動体２は、図５に示すように、鍔部２ａ、２ａを図示上下端に備える円筒状に形成された樹脂部材である。本形態では、レンズ移動体２は、内周側に移動レンズ１３及び１４を保持し、外周側において、鍔部２ａ、２ａ間に駆動コイル５が直接、巻回されている。すなわち、本形態では、レンズ移動体２はコイルボビンを兼ねている。尚、本形態では、レンズ移動体２は、その内周側で移動レンズ１３及び１４を直接保持しているが、レンズ鏡筒を介して、移動レンズ１３及び１４を保持するようにしても良い。
【００３３】
レンズ移動体２には、ガイド突起部となる内ヨーク８ａが挿通されてこの内ヨーク８ａと摺接する摺動孔２ｂが、内ヨーク８ａに対応して、光軸Ｌを中心に略１２０°ピッチで、３箇所に形成されている。摺動孔２ｂは、図５（Ａ）に示すように、上面視で、略円弧状に形成され、レンズ移動体２を光軸Ｌ方向に貫通するように形成されている。また、摺動孔２ｂの半径方向の幅は、内ヨーク８ａの半径方向の厚みよりも大きく形成されているが、摺動孔２ｂに内ヨーク８ａが挿通された状態における摺動孔２ｂと内ヨーク８ａとの半径方向の間隙は、片側で０．１ｍｍ以下となるように設定されている。こうすることで、内ヨーク８ａと摺動孔２ｂとによって摺動ガイドが形成され、レンズ移動体２が、内ヨーク８ａによって光軸Ｌ方向に適切に案内されるようになっている。
【００３４】
また、内ヨーク８ａとの摺動抵抗の軽減を図るため、摺動孔２ｂの表面に潤滑性被膜を形成しても良い。具体的には、ポリテトラフルオロエチレン（ＰＴＦＥ）を分散させた無電解ニッケルメッキ膜を、摺動孔２ｂの表面に形成しても良い。尚、この場合には、液晶樹脂やポリフェニレンサルファイド樹脂（ＰＰＳ）などの耐熱性樹脂でレンズ移動体２を形成する必要がある。
【００３５】
レンズ移動体２の図示上側の鍔部２ａには、チップ状の磁性片９を保持するための磁性片保持部２ｃが形成されている。具体的には、摺動孔２ｂの円周方向の略中心位置で、かつ、摺動孔２ｂの半径方向の外側から外方に向かって、３箇所に形成されている。磁性片９は、半径方向でその保持位置が調整可能となっている。
【００３６】
レンズ移動体２の底面には、固定体３の規制凹部３ｃに当接してレンズ移動体２の図示下方向の可動範囲を規制する規制凸部２ｄが、３つの摺動孔２ｂのそれぞれの間に形成されている。また、レンズ移動体２の底面には、駆動コイル５に駆動電流を供給するための配線基板１１が固定されている。本形態における配線基板１１は、フレキシブルプリント基板（ＦＰＣ）であり、駆動コイル５の端部がこの配線基板１１上の配線パターンに接続されている。
【００３７】
外周側に駆動コイル５が巻回され、磁性片保持部２ｃに磁性片９が保持されたレンズ移動体２は、固定体３の筒部の内側に配設されている。具体的には、内ヨーク８ａが摺動孔２ｂに挿通され、規制凸部２ｄと規制凹部３ｃとが光軸Ｌ方向で対向するように配設されている。このとき、駆動コイル５は、駆動マグネット６と内ヨーク８ａとによって半径方向に挟まれるように配設されることになり、駆動コイル５と駆動マグネット６とヨーク８とから、駆動手段４としてのボイスコイルモータが構成されている。
【００３８】
また、レンズ移動体２が、固定体３の筒部の内側に配設された状態では、それぞれの磁性片９が駆動マグネット６の光軸Ｌ方向の図示上端面と対向するようになっている。さらに、レンズ駆動装置１を上面から見た状態では、それぞれの磁性片９は、駆動マグネット６の円周方向の中心位置に配置されるようになっている。尚、配線基板１１は、固定体３に形成された引出孔３ｄから固定体３の外部へ引き出されている。
【００３９】
カバー１０は、有底円筒状に形成された樹脂部材であり、外径が固定体３とほぼ一致するように形成されている。カバー１０の底部には開口部が形成されており、この開口部に固定レンズ１２が保持されている。また、カバー１０の図示下側には、光軸Ｌ方向におけるレンズ移動体２の図示上方向の可動範囲を規制する規制部（図示省略）が形成されている。そして、固定レンズ１２と移動レンズ１３、１４との光軸が一致するように、カバー１０は固定体３に固定されている。
【００４０】
（レンズ駆動装置の動作）
以上のように構成されたレンズ駆動装置１の動作を以下に説明する。
【００４１】
本形態においては、図１に示すように、レンズ移動体２の規制凸部２ｄが固定体３の規制凹部３ｃに当接した状態が通常の移動レンズ保持位置になっている。この状態では、磁性片９と駆動マグネット６との磁気的吸引力によって、レンズ移動体２は光軸Ｌ方向で安定的に保持されている。そのため、通常の移動レンズ保持位置では、駆動コイル５は非通電状態になっている。また、それぞれの磁性片９が、駆動マグネット６の円周方向の中心位置に配置されるようになっているため、円周方向においてもレンズ移動体２は安定的に保持されている。
【００４２】
通常の移動レンズ保持位置にレンズ移動体２が保持された状態で、図示上方向にレンズ移動体２が移動するように駆動コイル５に電流が供給されると、レンズ移動体２は、内ヨーク８ａと摺動孔２ｂとによって光軸Ｌ方向に案内されて、最大で、レンズ移動体２の上端がカバー１０に形成された規制部に当接するまで移動するフォーカシング動作を行う。このフォーカシング動作によって通常の移動レンズ保持位置から、光軸Ｌ方向の所定位置まで移動したレンズ移動体２は、磁性片９と駆動マグネット６との磁気的吸引力とバランスするように、駆動コイル５を通電状態とすることで、所定の位置において安定的に保持されている。尚、それぞれの磁性片９が、駆動マグネット６の円周方向の中心位置に配置されるようになっているため、レンズ移動体２は、円周方向においては、磁性片９と駆動マグネット６とによって安定的に保持されている。
【００４３】
上記の所定位置で、図示下方向にレンズ移動体２が移動するように駆動コイル５に電流が供給されると、レンズ移動体２は、内ヨーク８ａと摺動孔２ｂとによって光軸Ｌ方向に案内されて移動する。例えば、レンズ移動体２の規制凸部２ｄが固定体３の規制凹部３ｃに当接するまで移動して、通常の移動レンズ保持位置で保持される。尚、磁性片９と駆動マグネット６との間に生じる磁気的吸引力の大きさによっては、上記の所定位置において、駆動コイル５を非通電状態とすることで、レンズ移動体２を、通常の移動レンズ保持位置まで移動させることも可能である。
【００４４】
（本形態の主な効果）
以上説明したように、本形態のレンズ駆動装置１では、固定体３に配設された板状のヨーク８が、レンズ移動体２を光軸Ｌ方向へ案内するためのガイド突起部として、内ヨーク８ａを備えている。ヨーク８が板状であるから、ヨーク８を固定体３へ固定するための基準として固定基準面８ｅを形成することができる。そのため、固定体３に形成されたヨーク固定部３ｃの固定面３ｂ１に固定基準面８ｅを当接させて、ヨーク８を固定することで、固定体３に対するヨーク８の基準出しを容易に行うことができる。また、固定基準面８ｅに対する内ヨーク８ａの垂直度が精度良く確保されていることから、固定体３に対して内ヨーク８ａを精度良く立設させることができる。すなわち、部品の精度を確保することで、固定体３に対して内ヨーク８ａを精度良く立設させることができる。そのため、組立時において、固定体３に対するガイド突起部である内ヨーク８ａの垂直度を調整する必要がなくなり、組立作業を容易かつ安定的に行うことができる。また、レンズ移動体２が備える摺動孔２ｂに内ヨーク８ａを挿通し、摺動孔２ｂと内ヨーク８ａとを摺接させることで、移動レンズ１３、１４を光軸Ｌ方向に適切に案内することができる。
【００４５】
特に、本形態では、内ヨーク８ａと外ヨーク８ｂとを連結する連結部８ｃに固定基準面８ｅを形成している。そのため、プレスによる曲げ加工によって、固定基準面８ｅに対する内ヨーク８ａの垂直度を精度良くかつ容易に確保することができる。そのため、固定基準面８ｅを固定面３ｂ１に当接させた状態で、ヨーク８を固定体３に固定するだけで、固定体３に対してガイド突起部である内ヨーク８ａを精度良く立設させることができる。特に、本形態では、内ヨーク８ａが３箇所に立設されているが、内ヨーク８ａ同士の平行度も容易に確保できる。
【００４６】
また、内ヨーク８ａをガイド突起部としていることから、レンズ移動体２を光軸Ｌ方向に案内するためのガイドシャフトを別途設ける必要がない。そのため、レンズ駆動装置１の構成が簡素化され、装置の小型化が可能になり、携帯電話等の携帯機器に搭載される薄型のカメラへの適用の可能になる。
【００４７】
本形態では、内ヨーク８ａと摺動孔２ｂによって形成される摺動ガイドが、光軸Ｌを中心に３箇所に設けられている。そのため、レンズ移動体２を光軸Ｌ方向に案内する際に、レンズ移動体２に傾きが生じにくくなり、レンズ移動体２を確実に案内することができる。特に、本形態では、内ヨーク８ａと摺動孔２ｂが光軸Ｌを中心に等角度間隔に設けられていることから、さらにレンズ移動体２に傾きを抑えることができ、レンズ移動体２を光軸Ｌ方向へ適切に案内することができる。
【００４８】
本形態では、固定体３のヨーク固定部３ｂには嵌合凸部３ｂ２が形成され、ヨーク８の連結部８ｃには、嵌合孔８ｄが形成されている。また、固定体３には、ヨーク８の円周方向の位置決めに用いられる突起３ｅが形成されている。そのため、固定体３に対するヨーク８の位置決めが容易になり、レンズ駆動装置１の組立作業が簡素化することができる。
【００４９】
本形態では、レンズ移動体２の外周側に駆動コイル５が直接、巻回されている。すなわち、レンズ移動体２はコイルボビンを兼ねている。そのため、駆動コイル５の巻回作業が容易になる。すなわち、レンズ移動体２の外周側に直接、駆動コイル５を巻回できるため、例えば、空芯状の駆動コイルを製作してそれをレンズ移動体２に貼り付けるといった作業工程を省略することができ、駆動コイル５の巻回作業は容易になる。
【００５０】
本形態では、内ヨーク８ａの表面では、その表面粗さの最大高さが略０．１μｍ以下となっている。そのため、摺動孔２ｂと内ヨーク８ａとの摺動抵抗を軽減することができる。また、内ヨーク８ａ及び摺動孔２ｂの少なくともいずれか一方の表面に、潤滑性被膜を形成することでも摺動孔２ｂと内ヨーク８ａとの摺動抵抗を軽減することができる。その結果、レンズ移動体２の移動時における消費電力を低減することができ、レンズ移動体２の光軸Ｌ方向の移動が円滑に行われる。
【００５１】
本形態では、レンズ移動体２が磁性片９を備え、磁性片９と駆動マグネット６との磁気的吸引力によって、レンズ移動体２の図示下方向の可動範囲端位置である通常の移動レンズ保持位置において、レンズ移動体２が光軸Ｌ方向で安定的に保持されている。そのため、通常の移動レンズ保持位置においては、駆動コイル５を通電状態にしておく必要がなく、フォーカシング動作時にのみ駆動コイル５を通電状態にしてやれば良い。従って、移動レンズ１３、１４の保持状態での消費電力を低減させることができる。
【００５２】
本形態では、レンズ移動体２の鍔部２ａの磁性片９を保持するための磁性片保持部２ｃが半径方向の外方向に向かって形成されており、磁性片９の保持位置が、半径方向で調整可能になっている。そのため、磁性片９の保持位置を調整することで、駆動マグネット６と磁性片９との間に生じる磁気的吸引力を調整することができる。従って、駆動マグネット６と磁性片９との間に適切な磁気的吸引力を設定することができる。
【００５３】
本形態では、レンズ移動体２が、固定体３の筒部の内側に配設された状態で、それぞれの磁性片９は、駆動マグネット６の円周方向の中心位置に配置されるようになっている。そのため、磁性片９が、磁束密度の高い駆動マグネット６の円周方向の中心位置の吸引され、レンズ移動体２を円周方向に安定的に保持することができる。
【００５４】
また、レンズ移動体２の移動時に、レンズ移動体２が円周方向に振れても、それぞれの磁性片９が、駆動マグネット６の円周方向の中心位置に配置されるように復元力が働く。そのため、固定レンズ１２と移動レンズ１３、１４とから構成されるレンズ群の光学特性に変動が生じない。その結果、光学特性の安定したレンズ駆動装置１を提供することができる。
【００５５】
（他の実施の形態）
上述した形態は、本発明の好適な形態の一例ではあるが、これに限定されるものではなく本発明の要旨を変更しない範囲において種々変形可能である。例えば、上述した形態では、固定体３を底部と筒部とを有する有底円筒状に一体で形成したが、固定体の筒部と底部とを別体で構成しても良い。例えば、図６に示す筒部材３１と、図７に示す底部材３２とを別体で形成し、これを組み合わせることで固定体を構成しても良い。尚、図７において、開口部３２ａ、ヨーク固定部３２ｂ、固定面３２ｂ１、嵌合凸部３２ｂ２、規制凹部３２ｃ、引出孔３２ｄ、突起３２ｅは、それぞれ、図３における開口部３ａ、ヨーク固定部３ｂ、固定面３ｂ１、嵌合凸部３ｂ２、規制凹部３ｃ、引出孔３ｄ、突起３ｅに相当する。
【００５６】
また、上述した形態では、樹脂部材から固定体３を形成していたが、固定体３の一部または全部を金属部材で形成するようにしても良い。この場合には、固定体３の外部への磁束の漏れを低減することができ、駆動手段４の駆動効率を上げることができる。
【００５７】
さらに、上述した形態では、固定体３に３つのヨーク８が固定されていたが、図８に示すヨーク３８のように、ヨークをリング状に一体で形成しても良い。ヨーク３８のようにヨークを一体で形成した場合には、部品の取扱いが容易になるとともに、組立作業が容易となる。尚、図８において、内ヨーク３８ａ、外ヨーク３８ｂ、連結部３８ｃ、嵌合孔３８ｄ、固定基準面３８ｅは、それぞれ、図４における内ヨーク８ａ、外ヨーク８ｂ、連結部８ｃ、嵌合孔８ｄ、固定基準面８ｅに相当する。
【００５８】
さらにまた、３つのヨーク８において、図９に示すように、内ヨーク８ａ及び外ヨーク８ｂの図示上端に磁性部材からなる薄板状のカバー４８を接着等によって固定しても良い。この場合、ヨーク８とカバー４８とによって、有効な磁路が形成され、駆動手段４の駆動効率を上げることができる。
【００５９】
また、上述した形態では、レンズ移動体２に駆動コイル５が配設され、固定体３に駆動マグネット６が配設されていたが、レンズ移動体２に駆動マグネット６が配設され、固定体３に駆動コイル５が配設されても良い。
【００６０】
さらに、ヨークは、必ずしも外ヨークを備えている必要はなく、ガイド突起部となる内ヨークと、固定基準面を備えた底面部とからヨークを構成しても良い。また、駆動マグネットはリング状に一体で形成された永久磁石でも良い。
【００６１】
さらにまた、上述した形態では、内ヨーク８ａと摺動孔２ｂとからなる摺動ガイドが円周方向で３箇所に形成されていたが、摺動ガイドは３箇所に限定されず、２箇所に形成しても良いし、４箇所以上に形成しても良い。
【図面の簡単な説明】
【００６２】
【図１】本発明の実施の形態にかかるレンズ駆動装置を示す側面断面図である。
【図２】図１に示すレンズ駆動装置の固定側部材を示し、（Ａ）はその上面図、（Ｂ）は（Ａ）のＡ−Ａ断面における断面図である。
【図３】図１に示すレンズ駆動装置の固定体を示し、（Ａ）はその上面図、（Ｂ）は（Ａ）のＢ−Ｂ断面における断面図である。
【図４】図１に示すレンズ駆動装置のヨークを示し、（Ａ）はその上面図、（Ｂ）は（Ａ）のＣ−Ｃ断面における断面図である。
【図５】図１に示すレンズ駆動装置の移動側部材を示し、（Ａ）はその上面図、（Ｂ）は（Ａ）のＤ−Ｄ断面における断面図、（Ｃ）はその底面図である。
【図６】本発明の他の形態にかかる固定体の筒部材を示す上面図である。
【図７】本発明の他の形態にかかる固定体の底部材を示し、（Ａ）はその上面図、（Ｂ）は（Ａ）のＥ−Ｅ断面における断面図である。
【図８】本発明の他の形態にかかるヨークを示す上面図である。
【図９】本発明の他の形態にかかるヨークを示し、（Ａ）はその上面図、（Ｂ）は（Ａ）のＦ−Ｆ断面における断面図である。
【符号の説明】
【００６３】
１  レンズ駆動装置
２  レンズ移動体
２ｂ  摺動孔
２ｃ  磁性片保持部
３  固定体
３ｂ、３２ｂ  ヨーク固定部
３ｂ２、３２ｂ２  嵌合凸部
４  駆動手段
５  駆動コイル
６  駆動マグネット
８、３８  ヨーク
８ａ、３８ａ  内ヨーク（ガイド突起部）
８ｂ、３８ｂ  外ヨーク
８ｃ、３８ｃ  連結部
８ｄ、３８ｄ  嵌合孔
９  磁性片
１２  固定レンズ
１３、１４  移動レンズ
Ｌ  光軸
【図１】
2005352032.tif 000003
【図２】
2005352032.tif 000004
【図３】
2005352032.tif 000005
【図４】
2005352032.tif 000006
【図５】
2005352032.tif 000007
【図６】
2005352032.tif 000008
【図７】
2005352032.tif 000009
【図８】
2005352032.tif 000010
【図９】
2005352032.tif 000011